(57)【特許請求の範囲】
【請求項１】
扉を施錠する際に前記扉における室内側に設けられているつまみが第１回動位置に回動したことを検出する第１検出装置と、
前記つまみが前記第１回動位置に回動したことを前記第１検出装置が検出した場合、前記室内に設けられている電気機器に供給される電力を遮断する遮断装置と、
前記扉を開錠する際に前記つまみが前記第１回動位置とは異なる第２回動位置に回動したことを検出する第２検出装置と、
前記つまみが前記第２回動位置に回動したことを前記第２検出装置が検出した場合、前記電気機器に対して電力を供給する供給装置と、
を備えたことを特徴とする電力制御装置。
【請求項２】
前記第１検出装置は、
前記つまみとともに回動する突片と、
前記つまみが前記第１回動位置に回動したときに前記突片が圧接されて、電力を遮断するための遮断信号を出力する第１圧電素子と、を有し、
前記遮断装置は、前記第１圧電素子が前記遮断信号を出力した場合、前記電気機器に供給される電力を遮断する
ことを特徴とする請求項１に記載の電力制御装置。
【請求項３】
前記突片は複数設けられており、
前記第１圧電素子は、前記つまみが前記第１回動位置に回動したときに複数の前記突片が夫々圧接されて、前記遮断信号を夫々出力するように複数設けられており、
前記遮断装置は、複数の前記第１圧電素子のうちの少なくとも一の前記第１圧電素子が前記遮断信号を出力した場合、前記電気機器に供給される電力を遮断する
ことを特徴とする請求項２に記載の電力制御装置。
【請求項４】
前記第２検出装置は、
前記突片と、
前記つまみが前記第２回動位置に回動されたときに前記突片が圧接されて、電力を供給するための供給信号を出力する第２圧電素子と、を有し、
前記供給装置は、前記第２圧電素子が前記供給信号を出力した場合、前記電気機器に対して電力を供給する
ことを特徴とする請求項２に記載の電力制御装置。
【請求項５】
前記突片は複数設けられており、
前記第２圧電素子は、前記つまみが前記第２回動位置に回動したときに複数の前記突片が夫々圧接されて、前記供給信号を夫々出力するように複数設けられており、
前記供給装置は、複数の前記第２圧電素子のうちの少なくとも一の前記第２圧電素子が前記供給信号を出力した場合、前記電気機器に電力を供給する
ことを特徴とする請求項４に記載の電力制御装置。
【請求項６】
前記室内に人が居るか否かを検知する検知装置、を更に備え、
前記遮断装置は、
前記室内に人が居ないことを前記検知装置が検知し、且つ、前記つまみが前記第１回動位置に回動したことを前記第１検出装置が検出した場合、前記電気機器に供給される電力を遮断し、
前記室内に人が居ることを前記検知装置が検知し、且つ、前記つまみが前記第１回動位置に回動されたことを前記第１検出装置が検出した場合、前記電気機器に供給される電力を遮断しない、
ことを特徴とする請求項１に記載の電力制御装置。
【請求項７】
前記第１検出装置の検出結果に関わらず、前記電気機器に供給される電力を前記遮断装置が遮断するのを禁止する禁止装置、を更に備える
ことを特徴とする請求項１に記載の電力制御装置。
【請求項８】
前記つまみの外径に沿って前記つまみを覆う形状を呈するとともに前記突片が固定されており、前記つまみとともに回動するカバーと、
前記カバーの回動操作ができるように前記カバーを露出させる露出孔を有し、前記カバー、前記突片、前記第１及び第２圧電素子を収容する筐体と、
を更に備える
ことを特徴とする請求項４に記載の電力制御装置。
【請求項９】
前記筐体は、前記扉における室内側に着脱可能に設けられる
ことを特徴とする請求項８に記載の電力制御装置。
【発明の詳細な説明】
【技術分野】
【０００１】
本発明は、電力制御装置に関する。
【背景技術】
【０００２】
例えば、宅内に設けられており、電力が供給されて動作する電気機器が知られている（例えば特許文献１）。
【先行技術文献】
【特許文献】
【０００３】
【特許文献１】特開２０１１-１６０６０８号公報
【発明の概要】
【発明が解決しようとする課題】
【０００４】
例えば、特許文献１の電気機器の含め電気機器には、動作していないときにも待機電力として電力が供給されている。このために、電気機器が設けられている宅内における消費電力量を前述の待機電力として供給される電力量よりも少なくするのが困難となる虞がある。
【課題を解決するための手段】
【０００５】
前述した課題を解決する主たる本発明は、扉を施錠する際に前記扉における室内側に設けられているつまみが第１回動位置に回動したことを検出する第１検出装置と、前記つまみが前記第１回動位置に回動したことを前記第１検出装置が検出した場合、前記室内に設けられている電気機器に供給される電力を遮断する遮断装置と、前記扉を開錠する際に前記つまみが前記第１回動位置とは異なる第２回動位置に回動したことを検出する第２検出装置と、前記つまみが前記第２回動位置に回動したことを前記第２検出装置が検出した場合、前記電気機器に対して電力を供給する供給装置と、を備えたことを特徴とする電力制御装置である。
【０００６】
本発明の他の特徴については、添付図面及び本明細書の記載により明らかとなる。
【発明の効果】
【０００７】
本発明によれば、電気機器に供給される電力を遮断することができる。
【図面の簡単な説明】
【０００８】
【図１】本発明の実施形態における住戸を示す図である。
【図２】本発明の実施形態における扉と制御装置とを示す分解斜視図である。
【図３】本発明の実施形態における扉と制御装置とを示す側面図である。
【図４】本発明の実施形態におけるつまみが第１回動位置に回動された状態の制御装置を示す正面図である。
【図５】本発明の実施形態におけるつまみが第２回動位置に回動された状態の制御装置を示す正面図である。
【図６】本発明の実施形態における制御回路等を示す図である。
【図７】本発明の実施形態におけるスイッチのオンオフと検知信号と制御信号との関係を示す図である。
【発明を実施するための形態】
【０００９】
本明細書および添付図面の記載により、少なくとも以下の事項が明らかとなる。
＝＝＝住戸＝＝＝
以下、図１を参照して、本実施形態における住戸について説明する。図１は、本実施形態における住戸を示す図である。尚、図１は、天井側（＋Ｚ）から床側（−Ｚ）に向かって見た状態の住戸１００を示している。
【００１０】
住戸１００は、例えば単身者向けのアパート、マンション等の集合住宅における一戸である。尚、住戸１００は、例えば一戸建て住宅における１室であることとしてもよいし、オフィスの１室であることとしてもよい。
【００１１】
住戸１００は、扉２、制御装置３、壁１１、コンセント装置１２（遮断装置、供給装置）、電気機器１６を有する。尚、例えば、扉２、制御装置３、コンセント装置１２、電気機器１６は夫々、複数個ずつ設けられていることとしてもよい。尚、制御装置３、コンセント装置１２が電力制御装置に相当する。
【００１２】
壁１１は、住戸１００の室内１０１と室外１０２とを隔てている。
【００１３】
扉２は、壁１１における所定位置に設けられる開き戸である。
【００１４】
電気機器１６は、室内１０１に設けられる例えばテレビ、エアコン、プリンタ、パソコン等の電気機器である。電気機器１６は、コンセント装置１２を介して交流電源Ｇ１から供給される電力によって動作する。電気機器１６は、電源コード１５を有する。
【００１５】
電源コード１５の一端は電気機器１６に接続されており、電源コード１５の他端にはプラグ１５Ａが設けられている。プラグ１５Ａは、コンセント装置１２に接続されている。
【００１６】
コンセント装置１２は、コンセント装置１２に対してプラグ１５Ａが接続されている電気機器１６に対して電力を供給したり、電力の供給を遮断したりする。コンセント装置１２は、スイッチ１４、スイッチ制御装置１３を有する。
【００１７】
スイッチ１４は、交流電源Ｇ１と電気機器１６との間でオンオフする。例えば、スイッチ１４がオンした場合、交流電源Ｇ１と電気機器１６とが電気的に接続されて、交流電源Ｇ１から電気機器１６に対して電力が供給される。一方、例えば、スイッチ１４がオフした場合、交流電源Ｇ１と電気機器１６とが電気的に遮断されて、交流電源Ｇ１から電気機器１６に対して電力が供給されなくなる。
【００１８】
スイッチ制御装置１３は、制御装置３から出力される第１及び第２制御信号を受信して、受信された制御信号に基づいて、スイッチ１４のオンオフを制御する。
【００１９】
制御装置３は、サムターン２０（図２）におけるつまみ２２の回動位置に基づいて、スイッチ制御装置１３を制御するための第１又は第２制御信号を出力する。
＝＝＝扉＝＝＝
以下、図２を参照して、本実施形態における扉について説明する。図２は、本実施形態における扉と制御装置とを示す分解斜視図である。尚、図２においては、本体部３３（筐体）の前面に設けられている在宅スイッチ３５（図４）、人感センサ３６（検知装置）、無線通信部３４については、説明の便宜上、省略されている。図２においては、第１圧電素子４３、４４、第２圧電素子４１、４２、中空部３３Ｂ、係合孔３３１、３３２は見えない状態となっているが、説明の便宜上、破線で示されている。
【００２０】
扉２は、サムターン２０、デッドボルト２１１を有する。
【００２１】
サムターン２０は、扉２における室内１０１側に設けられる。サムターン２０は、胴２１、つまみ２２を有する。
【００２２】
尚、Ｚ軸は垂直方向に沿う軸であり、下側から上側に向かう方向を＋Ｚとし、上側から下側に向かう方向を−Ｚとする。Ｙ軸はサムターン２０におけるつまみ２２の回動軸に沿う軸であり、室内１０１側から室外１０２側に向かう方向を＋Ｙとし、室外１０２側から室内１０１側に向かう方向を−Ｙとする。Ｘ軸はＹ軸及びＺ軸に対して直交しておりデッドボルト２１１が移動する方向に沿う軸であり、デッドボルト２１１が扉２から突出する方向を＋Ｘとし、デッドボルト２１１が扉２に退避する方向を−Ｘとする。
【００２３】
胴２１は、扉２における所定位置に設けられる。
【００２４】
つまみ２２は、胴２１に設けられる。つまみ２２は、扉２に対して直交するＹ軸に沿っている回動軸を中心に回動可能に胴２１を介して扉２に取り付けられる。つまみ２２は、つまみ２２が垂直方向（Ｚ軸）に沿っている状態（図２）において、−Ｙから＋Ｙに向かって見て時計回り方向に略９０度回動させることができる。この後、つまみ２２が水平方向（Ｘ軸）に沿っている状態（不図示）において、−Ｙから＋Ｙに向かって見て反時計回り方向に９０度回動させることができる。尚、つまみ２２が垂直方向に沿っている状態とは、図２に示されているように、つまみ２２の長手方向がＺ軸に沿っている状態を示す。又、つまみ２２が水平方向に沿っている状態とは、つまみ２２の長手方向がＸ軸に沿っている状態を示す。
【００２５】
つまみ２２がＸ軸に沿っている状態の当該つまみ２２の位置を、つまみ２２の第１回動位置とする。又、つまみ２２がＺ軸に沿っている状態の当該つまみ２２の位置を、つまみ２２の第２回動位置とする。そして、つまみ２２は、第１回動位置に回動されたり、第２回動位置に回動されたりする。
【００２６】
尚、つまみ２２は、扉２における室外１０２側に設けられている鍵孔に挿入された鍵の回動操作によっても、第１又は第２回動位置に回動される。つまり、つまみ２２は、室内１０１側及び室外１０２側の双方から回動される。
【００２７】
デッドボルト２１１は、つまみ２２の回動に基づいて扉２から突出又は扉２に退避する。例えば、つまみ２２が第１回動位置に回動された場合、デッドボルト２１１は扉２から突出する。一方、例えば、つまみ２２が第２回動位置に回動された場合、つまみ２２は扉２の内部に退避する。従って、扉２が閉められている状態でつまみ２２が第１回動位置に回動された場合、扉２は施錠される。この後、つまみ２２が第２回動位置に回動された場合、扉２は開錠される。
＝＝＝制御装置の構造＝＝＝
以下、図２及び図３を参照して、本実施形態における制御装置について説明する。図３は、本実施形態における扉と制御装置とを示す側面図である。
【００２８】
制御装置３は、扉２における室内１０１側に対して着脱自在に取り付けられる。制御装置３は、取付板３１、カバー３２、本体部３３を有する。
＝取付板＝
取付板３１は、扉２における室内側の面に取り付けられる板部材である。取付板３１は、例えば、略矩形形状を呈しており、絶縁性の樹脂等を用いて形成されている。取付板３１には、挿通孔３１Ａ、係合片３１１、３１２が設けられている。
【００２９】
挿通孔３１Ａは、サムターン２０が挿通される。挿通孔３１Ａの径は、胴２１が挿通されるように、胴２１の径よりも大きく設定されている。
【００３０】
係合片３１１、３１２は夫々、本体部３３の係合孔３３１、３３２に挿入された状態で本体部３３と係合するように、Ｘ軸方向にける両端から−Ｙに向かって突出している。
＝本体部＝
本体部３３は、制御装置３の本体であり、取付板３１を用いて扉２に取り付けられる。本体部３３は、例えば、略矩形柱形状を呈しており、絶縁性の樹脂等を用いて形成されている。本体部３３には、露出孔３３Ａ、係合孔３３１、３３２、第１圧電素子４３、４４、第２圧電素子４１、４２、中空部３３Ｂが設けられている。
【００３１】
係合孔３３１、３３２は、係合片３１１、３１２が着脱可能に係合される孔であり、係合片３１１、３１２と対向する位置に設けられる。つまり、本体部３３は、取付板３１に対して着脱可能となっている。
【００３２】
露出孔３３Ａは、カバー３２を露出させるための例えば円形の孔である。露出孔３３Ａは、サムターン２１と対向する位置に設けられる。本体部３３における露出孔３３Ａの内部には、山部３３３が形成されている。山部３３３は、本体部３３に対してカバー３２を取り付ける際に用いられる突部であり、露出孔３３Ａの全周に亘って設けられている。山部３３３は、カバー３２における溝３２３に挿入される形状を呈している。そして、露出孔３３Ａは、カバー３２を本体部３３に対して回動可能に取り付けるための取付孔としての機能も発揮する。露出孔３３Ａの径は、露出孔３３Ａの内部にカバー３２が設けられるように、カバー３２の径よりも大きく設定されている。そして、本体部３３に対してカバー３２が取り付けられた場合、露出孔３３Ａから露出しているカバー３２の回動操作が可能となる。
【００３３】
中空部３３Ｂは、本体部３３に対して取り付けられたカバー３２を回動可能に収容するための空洞である。中空部３３Ｂは、＋Ｙ側における開いており、−Ｙ側において露出孔３３Ａと通じている。
【００３４】
第１圧電素子４３、４４、第２圧電素子４１、４２は、カバー３２の突片３２１、３２２が圧接されたときに発電する素子である。第１圧電素子４３、４４、第２圧電素子４１、４２は、本体部３３の中空部３３Ｂに設けられる。尚、第１圧電素子４３、４４、突片３２１、３２２が第１検出装置に相当する。第２圧電素子４１、４２、突片３２１、３２２が第２検出装置に相当する。
【００３５】
第１圧電素子４３、４４は夫々、制御装置３が扉２に取り付けられている際に、つまみ２２が第１回動位置に回動されたとき、突片３２１、３２２が圧接される位置に設けられる。第１圧電素子４３、４４は、例えば、垂直方向における露出孔３３Ａの両側に設けられる。
【００３６】
第２圧電素子４１、４２は夫々、制御装置３が扉２に取り付けられている際に、つまみ２２が第２回動位置に回動されたとき、突片３２１、３２２が圧接される位置に設けられる。第２圧電素子４１、４２は、例えば、水平方向における露出孔３３Ａの両側に設けられる。
＝カバー＝
カバー３２は、サムターン２０に取り付けられ、つまみ２２とともに回動する。カバー３２は、例えば、絶縁性の樹脂等を用いて形成されている。カバー３２は、本体３２４、突片３２１、３２２、つまみ３２５を有する。尚、本体３２４、突片３２１、３２２、つまみ３２５は、一体的に形成されていることとしてもよい。
【００３７】
本体３２４は、内部にサムターン２０が挿入されるように、例えば筒形状を呈している。本体３２４の＋Ｙ側には、サムターン２０が本体３２４の内部に挿入するための開口（不図示）が設けられている。本体３２４の−Ｙ側には、つまみ３２５が設けられている。本体３２４の外周面には、本体部３３の山部３３３が挿入される溝３２３が設けられている。溝３２３は、カバー３２を本体部３３に取り付ける際に用いられる溝であり、カバー３２の全周に亘って設けられている。
【００３８】
つまみ３２５は、つまみ２２が嵌められてつまみ２２に対して固定される。つまみ３２５は、中空形状を呈している。つまみ３２５の内部は、本体３２４の内部と通じている。よって、カバー３２に対してサムターン２０が挿入された場合、つまみ２２が、カバー３２の内部においてつまみ３２５に嵌ることになる。そして、つまみ３２５がつまみ２２に対して固定される。
【００３９】
突片３２１、３２２は、例えば略矩形柱形状を呈しており、第１圧電素子４３、４４、第２圧電素子４１、４２に圧接される片である。突片３２１、３２２は、本体３２４の外周面から突出している。突片３２１、３２２は、本体３２４からＸＺ平面において遠ざかる方向に向かって突出している。突片３２１、３２２は、突片３２１、３２２の長手方向とつまみ３２５の長手方向とが略直交するように、本体３２４における両側に設けられている。尚、例えば、突片３２１、３２２は、略円柱形状を呈していることとしてもよいし、矩形柱以外の多角柱形状を呈していることとしてもよい。
＝制御装置の扉への取り付け＝
挿通孔３１Ａに対してサムターン２０が挿通された状態で、取付板３１が扉２に対して固定される。取付板３１は、例えば、螺子を用いて固定されることとしてもよいし、両面テープ、接着剤、面ファスナ等を用いて固定されることとしてもよい。
【００４０】
カバー３２が本体部３３における露出孔３３Ａに取り付けられる。このとき、山部３３３の先端が溝３２３に挿入されるために、山部３３３が溝３２３に引っ掛るために、カバー３２が本体部３３から例えば自重によって外れるのが防止される。更に、このとき、カバー３２は、カバー３２の中央を通り且つＹ軸に沿っている回動軸３２Ｂ（図４）を中心に回動可能となる。
【００４１】
カバー２３が取り付けられた状態の本体部３３が、取付板３１に取り付けられる。係合片３１１、３１２が係合孔３３１、３３２に挿入された状態で、係合片３１１、３１２が本体部３３と係合することにより、本体部３３が取付板３１に固定される。これらにより、制御装置３が扉２に取り付けられることになる。
＝＝＝制御回路等＝＝＝
以下、図４乃至図６を参照して、本実施形態における制御回路等について説明する。図４は、本実施形態におけるつまみが第１回動位置に回動された状態の制御装置を示す正面図である。図５は、本実施形態におけるつまみが第２回動位置に回動された状態の制御装置を示す正面図である。図６は、本実施形態における制御回路等を示す図である。
【００４２】
尚、図４及び図５における第２圧電素子４１、４２、第１圧電素子４３、４４、突片３２１、３２２は、見えない状態となっているが、説明の便宜上、破線で示されている。
【００４３】
制御装置３は、無線通信部３４、在宅スイッチ３５、人感センサ３６、スイッチ装置３５０（図６）、制御回路５１を有する。
【００４４】
無線通信部３４には、スイッチ制御装置１３との間で無線通信を行うための制御回路５１のアンテナ５２が設けられている。
【００４５】
在宅スイッチ３５は、スイッチ装置３５０（禁止装置）のスイッチ３５１乃至３５４におけるオンオフを切り換えるのに用いられる、位置保持型の機械式の押しボタンスイッチである。在宅スイッチ３５は、押下される度に、本体部３３から突出する第１位置及び、本体部３３に退避する第２位置において保持されることになる。
【００４６】
スイッチ３５１乃至３５４は、在宅スイッチ３５が押下される度に、夫々同期してオンオフが切り換えられる。例えば、在宅スイッチ３５が第１位置において保持されている場合、スイッチ３５１乃至３５４は全てオンすることになる。一方、例えば、在宅スイッチ３５が第２位置において保持されている場合、スイッチ３５１乃至３５４は全てオフすることになる。尚、在宅スイッチ３５が機械式のスイッチであるので、スイッチ３５１乃至３５４のオンオフの切り換えのためには、電力が不要となっている。
【００４７】
人感センサ３６は、室内１０１に人がいるか否かを検知する例えば赤外線センサである。例えば、室内１０１に人がいることを検知した場合、人感センサ３６は、検知信号を制御回路５１に対して出力する。一方、例えば、室内１０１に人がいないことを検知した場合、人感センサ３６は、検知信号を出力しない。人感センサ３６は、第１圧電素子４３、４４、第２圧電素子４１、４２（「各圧電素子」とも称する）の少なくとも一の圧電素子で発電された電力が供給されて動作する。このために、制御装置３を含む室内１０１での消費電力を低減することができる。
【００４８】
制御回路５１は、各圧電素子で発電された電力、及び、人感センサ３６から出力される検知信号が供給される。制御回路５１は、各圧電素子のうちのいずれの圧電素子から電力が供給されているか及び検知信号が供給されているか否かによって、無線信号としての第１又は第２制御信号をアンテナ５２を介して出力する。制御回路５１は、各圧電素子の少なくとも一の圧電素子で発電された電力が供給されて動作する。このために、制御装置３を含む室内１０１での消費電力を低減することができる。
【００４９】
例えば、検知信号が制御回路５１に供給されている場合、各圧電素子から制御回路５１に対して電力が供給されているか否かに関わらず、制御回路５１は、第１及び第２制御信号を出力しない。
【００５０】
例えば、検知信号が制御回路５１に供給されていないときに、第１圧電素子４３、４４の何れか一方で発電された電力が制御回路５１に供給された場合、スイッチ１４をオフするための第１制御信号を出力する。例えば、検知信号が制御回路５１に供給されていないときに、第２圧電素子４１、４２の何れか一方で発電された電力が制御回路５１に供給された場合、スイッチ１４をオンするための第２制御信号を出力する。
【００５１】
例えば、スイッチ３５１乃至３５４が全てオンしている場合、各圧電素子から制御回路５１に電力が供給されるように、各圧電素子と制御回路５１との間が接続される。例えば、スイッチ３５１乃至３５４が全てオフしている場合、各圧電素子から制御回路５１に電力が供給されないように、各圧電素子と制御回路５１との間が遮断される。つまり、スイッチ３５１乃至３５４が全てオフしている場合、制御回路５１は、動作せずに、第１及び第２制御信号を出力しない状態となる。
＝＝＝制御装置の動作＝＝＝
以下、図４、図５及び図７を参照して、本実施形態における制御回路等について説明する。図７は、本実施形態におけるスイッチのオンオフと検知信号と制御信号との関係を示す図である。
＝第１の場合＝
例えば、住戸１００の住人が室内１０１に居る場合、制御装置３による制御を行わせなくするために、在宅スイッチ３５が第２位置において保持されるように、在宅スイッチ３５が押下される。この場合、スイッチ３５１乃至３５４は全てオフする。このために、各圧電素子に対して突片３２１、３２２が圧接するか否かに関わらず、制御装置３は、第１及び第２制御信号を出力しない。
＝第２の場合＝
例えば、住戸１００の住人の友人が室内１０１に居る状態で当該住人が外出する場合、在宅スイッチ３５が第１位置において保持されるように、在宅スイッチ３５が押下される。この場合、スイッチ３５１乃至３５４は全てオンする。住人は、室外１０２側から扉２を施錠するために、鍵を用いてつまみ２２を第１回動位置に回動させる。この場合、カバー３２がつまみ２２と共に回動軸３２Ｂ（図４）を中心にＡ１方向に回動する。そして、つまみ２２が第１回動位置に回動されたとき、突片３２１、３２２の端部が夫々第１圧電素子４３、４４に圧接する。第１圧電素子４３、４４で発電された電力が人感センサ３６及び制御回路５１に供給される。
【００５２】
人感センサ３６は、室内１０１に人（住戸１００の住人の友人）がいることを検知して、検知信号を制御回路５１に対して送信する。制御回路５１は、第１圧電素子４３、４４から電力が供給されて動作するが、検知信号が入力されているために、第１及び第２制御信号を出力しない。
＝第３の場合＝
＜外出する場合＞
例えば、住戸１００の住人が外出する場合、在宅スイッチ３５が第１位置において保持されるように、在宅スイッチ３５が押下される。この場合、スイッチ３５１乃至３５４は全てオンする。住人は、室外１０２側から扉２を施錠するために、鍵を用いてつまみ２２を第１回動位置に回動させる。この場合、前述したように、第１圧電素子４３、４４で発電された電力が人感センサ３６及び制御回路５１に供給される。尚、このとき、つまみ２２が第１回動位置に回動したことを、第１圧電素子４３、４４、突片３２１、３２２が検出することになる。
【００５３】
人感センサ３６は、室内１０１に人がいないことを検知して、検知信号を出力しない状態となる。制御回路５１は、第１圧電素子４３、４４から電力が供給されて動作し、第１制御信号を出力する。スイッチ制御装置１３は、第１制御信号を受信してスイッチ１４をオフする。このために、交流電源Ｇ１から電気機器１６に対して電力が供給されない状態となる。つまり、電気機器１６の待機電力に基づく消費電力を削減することができる。
＜帰宅する場合＞
この後、例えば、住戸１００の住人が帰宅する場合、住人は、室外１０２側から扉２を開錠するために、鍵を用いてつまみ２２を第２回動位置に回動させる。
この場合、カバー３２がつまみ２２と共に回動軸３２Ｂ（図５）を中心にＡ２方向に回動する。そして、つまみ２２が第２回動位置に回動されたとき、突片３２１、３２２の端部が夫々第２圧電素子４１、４２に圧接する。第２圧電素子４１、４２で発電された電力が人感センサ３６及び制御回路５１に供給される。尚、このとき、つまみ２２が第２回動位置に回動したことを、第２圧電素子４１、４２、突片３２１、３２２が検出することになる。
【００５４】
人感センサ３６は、室内１０１に人がいないことを検知して、検知信号を出力しない状態となる。制御回路５１は、第２圧電素子４１、４２から電力が供給されて動作し、第２制御信号を出力する。スイッチ制御装置１３は、第２制御信号を受信してスイッチ１４をオンする。このために、交流電源Ｇ１から電気機器１６に対して電力が供給される。
【００５５】
前述したように、第１圧電素子４３、４４、突片３２１、３２２は、扉２を施錠する際に扉２における室内１０１側に設けられているつまみ２２が第１回動位置に回動したことを検出する。制御装置３及びコンセント装置１２は、つまみ２２が第１回動位置に回動したことを第１圧電素子４３、４４、突片３２１、３２２が検出した場合、室内１０１に設けられている電気機器１６に供給される電力を遮断する。よって、例えば、住戸１００の住人が外出する際に扉２の施錠を行った場合、電気機器１６の待機電力として電気機器１６に供給される電力を遮断することができる。従って、住戸１００での消費電力量を低減することができる。
【００５６】
又、突片３２１、３２２は、つまみ２２とともに回動する。第１圧電素子４３、４４は、つまみ２２が第１回動位置に回動したときに突片３２１、３２２が圧接されて発電を行う。第１圧電素子４３、４４で発電された電力に基づいて、第１制御信号が出力される。コンセント装置１２は、第１制御信号を受信した場合、電気機器１６に供給される電力が遮断されるようにスイッチ１４をオフする。尚、第１圧電素子４３、４４での発電電力を用いて第１制御信号を出力することができる。従って、第１制御信号を出力するための、例えば、交流電源Ｇ１から制御装置３への電力の供給が不要となる。よって、住戸１００での消費電力量を更に低減することができる。
【００５７】
又、複数の突片３２１、３２２、複数の第１圧電素子４３、４４が設けられている。第１圧電素子４３、４４の少なくとも一方が発電を行った場合、第１制御信号が出力される。このとき、コンセント装置１２は、電気機器１６に供給される電力が遮断されるようにスイッチ１４をオフする。よって、例えば、第１圧電素子４３、４４の一方が故障しているときにおいても、電気機器１６に供給される電力を確実に遮断することができる。
【００５８】
又、第２圧電素子４１、４２、突片３２１、３２２は、扉２を開錠する際に扉２における室内１０１側に設けられているつまみ２２が第２回動位置に回動したことを検出する。制御装置３及びコンセント装置１２は、つまみ２２が第２回動位置に回動したことを第２圧電素子４１、４２、突片３２１、３２２が検出した場合、室内１０１に設けられている電気機器１６に対して電力を供給する。例えば、住戸１００の住人が帰宅した際に扉２の開錠を行った場合、電気機器１６に対して電力を供給することができる。よって、住戸１００の住人が帰宅した際に、電気機器１６を動作可能な状態とすることにより、住人の利便性を向上させることできる。
【００５９】
又、第２圧電素子４１、４２は、つまみ２２が第２回動位置に回動したときに突片３２１、３２２が圧接されて発電を行う。第２圧電素子４１、４２で発電された電力に基づいて、第２制御信号が出力される。コンセント装置１２は、第２制御信号を受信した場合、電気機器１６に対して電力が供給されるようにスイッチ１４をオンする。第２圧電素子４１、４２での発電電力を用いて第２制御信号を出力することができる。従って、第２制御信号を出力するための、例えば、交流電源Ｇ１から制御装置３への電力の供給が不要となる。よって、住戸１００での消費電力量を低減することができる。
【００６０】
又、複数の突片３２１、３２２、複数の第２圧電素子４１、４２が設けられている。第２圧電素子４１、４２の少なくとも一方が発電を行った場合、第２制御信号が出力される。このとき、コンセント装置１２は、電気機器１６に対して電力が供給されるようにスイッチ１４をオンする。よって、例えば、第２圧電素子４１、４２の一方が故障しているときにおいても、電気機器１６に対して電力を確実に供給することができる。
【００６１】
又、人感センサ３６は、室内１０１に人が居るか否かを検知する。室内１０１に人が居ないことを人感センサ３６が検知し、且つ、つまみ２２が第１回動位置に回動したことを第１圧電素子４３、４４、突片３２１、３２２が検出した場合、コンセント装置１２は、電気機器１６に供給される電力を遮断する。又、室内１０１に人が居ることを人感センサ３６が検知し、且つ、つまみ２２が第１回動位置に回動したことを第１圧電素子４３、４４、突片３２１、３２２が検出した場合、コンセント装置１２は、電気機器１６に供給される電力を遮断しない。よって、住戸１００の利便性を維持しつつ住戸１００の消費電力量を低減することができる。
【００６２】
又、スイッチ装置３５０のスイッチ３５１乃至３５４が全てオフした場合、第１圧電素子４３、４４、突片３２１、３２２がつまみ２２の回動を検出したか否かに関わらず、電気機器１６に供給される電力をコンセント装置１２が遮断するのを禁止する。例えば、住戸１００の住人が室内１０１に居る際に、電気機器１６に供給される電力が遮断されるのを防止することができる。つまり、住戸１００の住人の利便性を向上させることができる。
【００６３】
又、カバー３２は、つまみ２２の外形に沿ってつまみ２２を覆う形状を呈するとともに突片３２１、３２２が固定されている。カバー３２は、つまみ２２とともに回動する。本体部３３は、カバー３３の回動操作ができるようにカバー３３を露出させる露出孔３３Ａを有している。本体部３３は、カバー３２、突片３２１、３２２、第２圧電素子４１、４２、第１圧電素子４３、４４を収容している。
【００６４】
又、本体部３３は、扉２における室内１０１側に着脱可能に設けられる。従って、例えば、本体部３３のメンテナンスが比較的容易となる。
【００６５】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６６】
尚、上記実施形態においては、第１圧電素子４３、４４、第２圧電素子４１、４２、突片３２１、３２２が夫々２個ずつ設けられることについて説明したが、これに限定されるものではない。例えば、３個以上ずつ設けられることとしてもよいし、１個ずつ設けられることとしてもよい。
【００６７】
又、各圧電素子から出力される電力によって人感センサ３６が動作することについて説明したが、これに限定されるものではない。例えば、人感センサ３６に対して電力を供給するための電池等が供給される当該電力によって、人感センサ３６が動作することとしてもよい。
【符号の説明】
【００６８】
２                        扉
３                        制御装置
１２                      コンセント装置
１６                      電気機器
２２                      つまみ
４１、４２                第２圧電素子
４３、４４                第１圧電素子
３２１、３２２            突片
【要約】
扉を施錠する際に前記扉における室内側に設けられているつまみが第１回動位置に回動したことを検出する第１検出装置と、前記つまみが前記第１回動位置に回動したことを前記第１検出装置が検出した場合、前記室内に設けられている電気機器に供給される電力を遮断する遮断装置と、を備える。【図１】
0005632116.tif 000002
【図２】
0005632116.tif 000003
【図３】
0005632116.tif 000004
【図４】
0005632116.tif 000005
【図５】
0005632116.tif 000006
【図６】
0005632116.tif 000007
【図７】
0005632116.tif 000008